(57)【要約】      （修正有）【課題】強度が半永久的に機能する籠に、内包材（間伐材、竹材、石材）の補充を容易する連結具の開発や、波浪時に内包材の浮遊を抑制する機能を半永久的に維持できる湾岸魚礁を提供する。【解決手段】人力で安価に施工しやすいパネル構造体にし、上面パネルを側板パネルに開閉容易にした連結具と、４枚の上部パネルを連結する上面連結具を発案し、また内包材の上面を抑える浮遊抑制具を発案した。特に、連結具のベース板にある足フックで側板に掛止することであらゆる方向からの波浪に対して外れることがない。湾岸において人力組み立てや内包材の補充を干潮時の短時間に容易に作業できる。上面連結具は、対峙４枚の上面パネルを短時間に開閉できる。浮遊抑制具は、台風時などの波浪に内包材の破損や流出の防止、さらに枠体への安全性の問題を解決した。【選択図】図１
0003144494.tif 000002
【実用新案登録請求の範囲】
【請求項１】
魚介類の棲みかをつくる内包材を収納可能で、魚介類が通過する複数の開口部が形成された側板を有するとともに、上面に前記内包材の出入口が形成された籠と、前記出入口を塞ぎ、魚介類が通過する複数の開孔部が形成された蓋と、該蓋を前記籠の出入口に着脱自在に固定する連結具とを備えた湾岸魚礁。
【請求項２】
前記連結具は、ベース板と該ベース板に固定され、かつ前記籠および前記蓋の何れか一方に前記湾岸魚礁の外方から掛止される外フックと、前記ベース板に固定され、かつ前記籠および前記蓋のうちの残った方に前記湾岸魚礁の内方から掛止される内フックとを有する請求項1に記載の湾岸魚礁。
【請求項３】
前記蓋は、前記複数の開孔部が形成されたパネルを4枚以上連結して構成され、隣接する4枚の該パネルの対峙した各コーナー部は、上面連結具により連結され、該上面連結具は前記各パネルの対峙したコーナー部の上面に載置される1枚の別のベース板と、該別のベース板の４つの部分と前記各パネルの対峙したコーナー部とを、1箇所ずつ連結する4組のボルトナット構造体とを有した請求項1または請求項2に記載の湾岸魚礁。
【請求項４】
前記籠の両端の側板間に着脱自在に横架され、前記内包材を上方から押さえることで、前記籠内での前記内包材の浮遊を抑制する浮遊抑制具を有した請求項1〜請求項3のうち、何れか1項に記載の湾岸魚礁。
【考案の詳細な説明】
【技術分野】
【０００１】
本発明は、現場施工が可能で、数年後の内包材の補充を容易にし、内包材の移動を抑制する連結具を設置した、魚礁機能を継続できる湾岸魚礁構造に関するものである。
【背景技術】
【０００２】
従来の魚礁は、船舶の安全上から水深の深い場所に設置し、間伐材等を魚礁として利用した場合でも沈設した後に補充されることは無かった。
また、間伐材等の腐食による形状変形に対しても、大水深のため固定をやり直すことも無かった。そのため、魚礁としての蝟集期間が約3〜5年と短く、費用対効果が小さく、採算が合わない場合が多かった。
そこで、魚礁として継続した効果を得るために内包材の補充が可能な魚礁を開発した。
一般に湾岸は、河川への遡上や河川からの海へ降河する生物生息場や産卵場でもある。こうした湾岸で魚礁を設置することは、生息、産卵場所の役割を担うことができる。
【０００３】
【特許文献１】特許第3049355号  「護岸等用カゴ枠」
【特許文献２】特許第3018035号  「擁壁構造」
【特許文献３】特開2007-23698                            「護床・護岸用過多炭素化鋳鉄製格子状枠体構造」
【特許文献４】特開2004-344021  「ハイブリッド魚礁」
【特許文献５】特開2002-191255  「鋳鉄製人工魚礁」
【特許文献６】登録実用新案第3092961号  「ハイブリッド魚礁」
【考案の開示】
【考案が解決しようとする課題】
【０００４】
特許文献５（鋳鉄製人工魚礁）の鋳鉄製枠は、鋳鉄製面板をボルトまたは溶接を陸上組み立てし水深１０ｍ以上の海底に沈設する魚礁である。しかし、海洋構造として、溶接数やボルトナット数が多いことは、現場組み立てが不可能で、陸上組み立て後の起重機付台船施工となり、施工費が高価となる。この構造で、面板間を狭めて内包材を入れた場合は、ボルトナット数や溶接箇所がさらに多くなり、干潮時の短期間に開閉することはできない。内包材の浮力に対する対策も必要となり、部材強度不足や、損傷、流出の危険がある。
よって、内包材の補充が容易で開閉自在にするには、パネル組み立て構造にする必要がある。
【０００５】
特許文献４（ハイブリッド魚礁）特許文献６（ハイブリッド魚礁）は、円形の枠に間伐材を差し込み、釘で固定かボルトで締め付けした状態で、海底に沈設するとしている。しかし、間伐材は腐食するので釘の固定はできず、また、ボルト締め付けでは台風時の波浪で損傷を受け、海洋流出汚染や船舶航行の重大事故となる。
【０００６】
特許文献１（護岸等用カゴ枠）、特許文献２（擁壁構造）、特許文献３（護床・護岸用過多炭素化鋳鉄製格子状枠体構造）は、陸上や１方向の流れの河川の場合には使用が可能である。しかし、蓋構造だけでは、間伐材等に浮力があるため、海が荒れた波浪時に破損する。その対策としては、どんな方向から外力が働いても籠が破損しない連結具や浮遊抑制具が必要となる。さらに、間伐材を数年ごとに補充できる構造にするためには、蓋の連結機能として、内包材の出入口を着脱自在に固定できるものでなくてはならない。
【課題を解決するための手段】
【０００７】
請求項１に記載の考案は、魚介類の棲みかをつくる内包材を収納可能で、魚介類が通過する複数の開口部が形成された側板を有するとともに、上面に前記内包材の出入口が形成された籠と、前記出入口を塞ぎ、魚介類が通過する複数の開孔部が形成された蓋と、該蓋を前記籠の出入口に着脱自在に固定する連結具とを備えた湾岸魚礁である。
請求項２に記載の考案は、前記連結具は、ベース板と該ベース板に固定され、かつ前記籠および前記蓋の何れか一方に前記湾岸魚礁の外方から掛止される外フックと、前記ベース板に固定され、かつ前記籠および前記蓋のうちの残った方に前記湾岸魚礁の内方から掛止される内フックとを有する請求項1に記載の湾岸魚礁である。
請求項３に記載の考案は、前記蓋は、前記複数の開孔部が形成されたパネルを4枚以上連結して構成され、隣接する4枚の該パネルの対峙した各コーナー部は、上面連結具により連結され、該上面連結具は前記各パネルの対峙したコーナー部の上面に載置される1枚の別のベース板と、該別のベース板の４つの部分と前記各パネルの対峙したコーナー部とを、1箇所ずつ連結する4組のボルトナット構造体とを有した請求項1または請求項2に記載の湾岸魚礁である。
請求項４に記載の考案は、前記籠の両端の側板間に着脱自在に横架され、前記内包材を上方から押さえることで、前記籠内での前記内包材の浮遊を抑制する浮遊抑制具を有した請求項1〜請求項3のうち、何れか1項に記載の湾岸魚礁である。
すなわち、本考案は、湾岸魚礁の現場施工が可能で、数年後の内包材の補充を容易するために、上面パネル11を開閉できるようにした蓋構造で、その４枚の上部パネルを開閉する上面連結具5、側板パネル10の上に載る足フックの付いた連結具3,4、さらに内包材の浮遊を抑制する浮遊抑制具9に関するものである。
【０００８】
連結具3,4は、1/4円形、1/2円形の２種類ある。1/4円形は4隅に使用し、1/2円形は側板の直線区間に使用する。
この２種類の1/4円形と1/2円形の連結具3,4は、フック形状の足が付いており、どんな方向の外力があっても側板10とベース板3Ｄ、4Ｄが外れない構造で、波浪に対して側板10と上面パネル11とを安全に連結する構造である。
【０００９】
上面連結具5は、円形の形状のベース板の上に、対峙した上面パネル4枚の角を連結するために使用する。
前記の連結具3,4で籠側板10側から組み立てられた上面パネル1枚と全円形の上面連結具をボルトナット7とワッシャー8で仮連結すれば、残りの対峙した上面パネル3枚を次々と作業員1人で連結できる構造である。
【００１０】
リング 6は、1/4円形、1/2円形の連結具3,4と、全円形の上面連結具5 のボルトナット7 ・ワッシャー 8の締め付けの受座として使用するもので、上面パネル11のボルト用開孔部13 が組み立て時の誤差を調整するために大きめに開孔されており、それを補
正するために開孔部を覆うように使用する。
【００１１】
浮遊抑制具9 は、内包材を上部から抑えて浮遊抑制する棒状部材9Aで、側板10にU字ボルトナット9B で固定する。内包材を補充するときにはU字ボルトナット9Bを着脱し、補充後に再度上部から押さえて浮遊抑制具9 を側板10にU字ボルトナット9Bで固定する。
【考案の効果】
【００１２】
請求項１の籠は、上部を内包材の出入口とすることで、補充交換が可能となり、半永久的に間伐材15を間接的に魚の餌とする湾岸魚礁1 にする効果がある。
また、側板パネル10、上面パネル11にパネル開口部12があるため、魚介類の通過が可能で、棲みかとしても効果がある。
【００１３】
請求項２の連結具3,4は、側板パネル10に組立てが簡単でかつ外力に対して連結部が外れにくい構造とすることが可能となり、特に外フック3A,4Aと、内フック3B,4Bは組立てやすくあらゆる角度の外力に対して外れにくい構造の効果がある。また、側板10 の台座3C,4Cを載せることで上部パネル11を連結具3,4のベース板3D,4D に仮置きできるため、ボルトナット7の締め付けを簡単にできる効果がある。
【００１４】
請求項３の上面連結具5は、４枚の上面パネル11を全円形のベース板と上面パネルのボルト用開孔部13をボルトナット４本で連結できるため、蓋を組みやすく、取り外しやすい効果がある。
【００１５】
請求項４の浮遊防止具9は、波浪で内包材が浮遊移動を抑制することができる構造になっており、蓋や鋭角部への籠内部からの波浪の繰り返し衝撃力を減じることができる効果がある。
【考案を実施するための最良の形態】
【００１６】
以下、図面に基づいて本考案にかかる籠構造の湾岸魚礁、連結具、上面連結具、浮遊抑制具について説明する。
図１は、パネル枠による組み立て構造で、パネル１枚は、0.5ｍ×1.0ｍの長方形の重量約21ｋｇとして取り扱いしやすく、底盤パネル14を8枚,側面パネル10を16枚,上面パネル11を8枚で中空枠体に組み立てて使用する。1パネル開口部12は、横210ｍｍ×縦90ｍｍで直径90ｍｍ以上の内包材は流出しない。このパネル開口部は、魚介類の通過や棲みかとして機能する。
上部の蓋の構造は、内包材（間伐材、竹材、石材）などを投入補充できるように開閉自在となっている。
浮遊抑制具9は、内包材の浮遊を抑制するために、間伐材15、竹材16では最低２本の浮遊抑制棒状具9Aで上面から抑え、側板パネル10にステンレス製Ｕボルトナット9Bで連結する。
ステンレス製Ｕボルトナット9Bの使用理由は、鋼製ボルトナットでは腐食が激しく脱落や波浪での緩み、また、錆の影響で開閉できない問題を解消している。
【００１７】
図２、3、4は、連結具(1/4円形)3の詳細、組立、部品図で、側板パネルの90度の隅角に上面パネルを載せるために用いる。
最初に籠の側板に連結具台座3Cを載せ、ベース板に付いている外フック足3Aと、内フック足3Bを側板パネル枠に装着させ、連結具の外フック足を籠の外方向から内方向に回転させ、内フック足を籠内から外方向に回転することで掛止する。次にその連結具のベース板に上部パネルを載せ、リング6をボルト開孔部に置きとステンレス製ボルトナット7・ワッシャー 8で締め付け連結する詳細な斜視図である。
ステンレス製ボルトナット7・ワッシャー8の使用理由は、鋼製ボルトナットでは腐食が激しく脱落や波浪での緩み、また、錆の影響で開閉できない問題を解消している。
【００１８】
図5、6、7は、連結具(1/2円形)4の詳細、組立、部品図で、側板パネルの直線部に上面パネルを載せるために用いる。
最初に籠の側板に連結具台座4Cを載せ、ベース板に付いている外フック足4Aと、内フック足4Bを側板パネル枠に装着させ、連結具の外フック足を籠の外方向から内方向に回転させ、内フック足を籠内から外方向に回転することで掛止する。次にその連結具のベース板に上部パネルを載せ、リング6をボルト開孔部に置きとステンレス製ボルトナット7・ワッシャー 8で締め付け連結する詳細な斜視図である。
【００１９】
図8、9は、上面連結具（全円形）5の上面に上面パネル11を４枚載せて、リング6であてがい、ボルト用開孔部13の上部に載せ、ステンレスボルトナット7とワッシャー8で締め付け連結する詳細な斜視図である。
【００２０】
図10は、浮遊抑制具9で、棒状具9Aと、両端にステンレスＵボルトナット9Bで側板パネル10の桟に連結する斜視図である。
【００２１】
図11は、籠内の下部に石材17と上部に間伐材15を入れ終えた段階で内包材の上部に浮遊抑制棒状具9A通して側板パネル材10にステンレスＵボルトナット9Bで両端を連結する。その理由として、海水が間伐材内部まで浸潤するまで浮力が働き、波浪時の繰り返し衝撃力として籠構造材に影響するので必ず浮遊抑制具9を使用する。
間伐材の腐食が進み容積が減少すれば、浮遊抑制具も90ｍｍごとにあるパネルの桟に下げて連結し直すことで、衝撃力を低減できる効果がある。
【００２２】
図12は、籠内の下部に石材17と上部に竹材16を入れ終えた段階で内包材の上部に浮遊抑制棒状具9Aを通して側板パネル材10にステンレスＵボルトナット9Bで両端を連結する。竹は比重が小さく浮きやすく、流出を抑制するために浮動抑制具9を使用する。
竹材の腐食が進み容積が減少すれば、浮遊抑制具も90ｍｍごとにあるパネルの桟に下げて連結し直すことで、浮遊抑制できる。
【００２３】
図13は、内包材の入った湾岸魚礁1を護岸や堤防下、張り石護岸2近くに設置した断面図である。陸側から人力設置できるため施工費が安価で、且つ、干潮時（LWL）にできるだけ籠下半分が水中に浸かるようにすれば魚礁効果が大きい特徴がある。
【実施例】
【００２４】
本考案の実施例は、図１３に示す様に堤防下、張り石護岸2近くに設置した。人力運搬が可能で、他の魚礁案に比べて経済性に優れている。また、堤防法面下は航行船舶航路外で湾内作業許可が得やすい利点がある。
干潮時（LWL）には籠下三分の一が水中に浸かるように設置しており、エビ、カニ、タコ、ウナギ、アナゴなどが棲みかとしており、魚礁効果がある。
満潮時（HWL）に魚礁から約1ｍ離れた位置で建網や水中カメラでの調査では、カサゴ、アイナメや、群泳するスズキなどの蝟集効果が確認された。
【００２５】
人力施工が可能な籠の最適形状は、幅2.0ｍ×長さ2.0ｍ×高さ1.0ｍの1ユニットであり、連続設置すれば大きな蝟集効果がある。
間伐材の長さは、籠内寸法から1.9ｍで人力持ち運びやすい形状である。
【００２６】
内包材は、石材17や間伐材15・竹材16で、パネルの開口部12(横210ｍｍ×縦90ｍｍ)より大きい材料を原則として使用するのが良い。しかし、竹材のように径の小さいものは、ビニールひもや番線で3箇所以上を束ねて、籠から流出しないようにした。            
竹材は、節を抜くことで浮力を低減し、束ねて内包することで浮遊抑制できた。
【００２７】
内包材の補充は、連結具3、4を固定しているステンレス製ボルトナット7を緩めて、上面パネル11を２枚開閉することで、容易に投入でき、短時間で作業ができる利点がある。
【００２８】
浮遊抑制具9は、側板パネル10の両側に２名の作業員で棒状具9Aと、両端のステンレスＵボルトナット9Bを使用し、内包材の上部を押さえて側板パネル10に連結する。
【産業上の利用可能性】
【００２９】
今回発案した連結具3,4、上部連結具5,浮遊抑制具9は、台風時の波浪の影響を受ける湾岸魚礁に必要なものである。
上面パネル11を開けて内包材を補充可能なことは、半永久的に漁獲が確保でき、魚場探索時間の短縮、漁業生産性向上、労働時間の短縮が可能となる。
また、間伐材を継続的に供給するシステムができれば、森林整備と魚場整備の両面を満たす画期的な取り組みとなる。
【図面の簡単な説明】
【００３０】
【図１】籠の斜視図
【図２】連結具（1/4円形）詳細図
【図３】連結具（1/4円形）組立図
【図４】連結具（1/4円形）（A）部品図              連結具（1/4円形）（B）部品図
【図５】連結具（1/2円形）詳細図
【図６】連結具（1/2円形）組立図
【図７】連結具（1/2円形）（A）部品図              連結具（1/2円形）（B）部品図
【図８】上面連結具（全円形）詳細図
【図９】上面連結具（全円形）組立図
【図１０】浮遊抑制図
【図１１】間伐材浮遊抑制図
【図１２】竹材浮遊抑制図
【図１３】設置概要図
【符号の説明】
【００３１】
1   籠
2   張石護岸
3   連結具（1/4円形）
3A  連結具（1/4円形）外フック
3B  連結具（1/4円形）内フック
3C  連結具（1/4円形）台座
3D  連結具（1/4円形）ベース板
4   連結具（1/2円形）
4A  連結具（1/2円形）外フック
4B  連結具（1/2円形）内フック
4C  連結具（1/2円形）台座
4D  連結具（1/2円形）ベース板
5   上面連結具（全円形）
6   リング  
7   ステンレス製ボルトナット
8   ステンレス製スプリングワッシャー
9   浮遊抑制具
9A  浮遊抑制棒状具  
9B  浮遊抑制ステンレス製Ｕボルトナット
10  側板パネル
11  上面パネル
12  パネル開口部
13  ボルト用開孔部
14  底面パネル
・  間伐材
・  竹材
・  石材
【図１】
0003144494.tif 000003
【図２】
0003144494.tif 000004
【図３】
0003144494.tif 000005
【図４】
0003144494.tif 000006
【図５】
0003144494.tif 000007
【図６】
0003144494.tif 000008
【図７】
0003144494.tif 000009
【図８】
0003144494.tif 000010
【図９】
0003144494.tif 000011
【図１０】
0003144494.tif 000012
【図１１】
0003144494.tif 000013
【図１２】
0003144494.tif 000014
【図１３】
0003144494.tif 000015
【手続補正書】
【提出日】平成20年4月25日(2008.4.25)
【手続補正１】
【補正対象書類名】明細書
【補正対象項目名】００３１
【補正方法】変更
【補正の内容】
【００３１】
1   籠
2   張石護岸
3   連結具（1/4円形）
3A  連結具（1/4円形）外フック
3B  連結具（1/4円形）内フック
3C  連結具（1/4円形）台座
3D  連結具（1/4円形）ベース板
4   連結具（1/2円形）
4A  連結具（1/2円形）外フック
4B  連結具（1/2円形）内フック
4C  連結具（1/2円形）台座
4D  連結具（1/2円形）ベース板
5   上面連結具（全円形）
6   リング  
7   ステンレス製ボルトナット
8   ステンレス製スプリングワッシャー
9   浮遊抑制具
9A  浮遊抑制棒状具  
9B  浮遊抑制ステンレス製Ｕボルトナット
10  側板パネル
11  上面パネル
12  パネル開口部
13  ボルト用開孔部
14  底面パネル
15  間伐材
16  竹材
17  石材
【手続補正２】
【補正対象書類名】図面
【補正対象項目名】図１２
【補正方法】変更
【補正の内容】
【図１２】
0003144494.tif 000016